(57)【要約】【課題】新しいシステムに移行する際に、既存設備と同じ設備については該既存設備の有効利用を行うことを可能にして、新規設備投資を抑えること。【解決手段】送信時、無線制御部１１から送出された無線制御部１１の送信信号を、無線制御部１においてベースバンド信号に変換する。また、無線制御部１において、上記ベースバンド信号をＩＦ信号に変換した後、アナログ・デジタル変換し、さらに、通信プロトコルに合わせた送受信フォーマットに変換すると共に、無線制御部１の送信信号と合成して無線部３に送出する。なお、受信時、受信信号に対しては、上記変換処理とは逆の変換処理を行うものとする。【選択図】図１
2013187598.tif 000002
【特許請求の範囲】
【請求項１】
旧システムから新システムに移行した場合の基地局装置として、前記旧システムの無線制御装置と、前記新システムの無線制御装置と、前記新システムの無線装置とを備え、
前記新システムの無線制御装置における送信時の手段として、
前記旧システムの無線制御装置から送出された送信信号をベースバンド信号に変換する手段と、
前記ベースバンド信号をアナログ・デジタル変換するＡＤ変換手段と、
前記アナログ・デジタル変換の結果として得られた信号を通信プロトコルに合わせた送受信フォーマットに変換するフォーマット変換手段と、
前記送受信フォーマットに変換した信号を前記新システムの無線制御装置の送信信号と合成する合成手段と、
前記合成した結果の信号を前記新システムの無線装置に送出する送出手段と
を備え、
前記新システムの無線制御装置における受信時の手段として、
前記送信時の手段によってなされる変換処理とは逆の変換処理を行う手段
を備える移動体通信システム。
【請求項２】
前記旧システムの無線制御装置と前記新システムの無線制御装置との間の送受信にＲＦ信号を用いる
請求項１に記載の移動体通信システム。
【請求項３】
前記新システムの無線制御装置において、前記ＲＦ信号の前記ベースバンド信号を、前記アナログ・デジタル変換する前に、ＩＦ信号に変換する
請求項２に記載の移動体通信システム。
【請求項４】
前記送出手段において更に光通信手段を備え、前記合成した結果の信号を前記新システムの無線装置に送出する際には前記光通信手段を使用する
請求項１に記載の移動体通信システム。
【請求項５】
旧システムから新システムに移行した場合の装置として、前記旧システムの無線制御装置と、前記新システムの無線制御装置と、前記新システムの無線装置とを備え、
前記新システムの無線制御装置における送信時の手段として、
前記旧システムの無線制御装置から送出された送信信号をベースバンド信号に変換する手段と、
前記ベースバンド信号をアナログ・デジタル変換するＡＤ変換手段と、
前記アナログ・デジタル変換の結果として得られた信号を通信プロトコルに合わせた送受信フォーマットに変換するフォーマット変換手段と、
前記送受信フォーマットに変換した信号を前記新システムの無線制御装置の送信信号と合成する合成手段と、
前記合成した結果の信号を前記新システムの無線装置に送出する送出手段と
を備え、
前記新システムの無線制御装置における受信時の手段として、
前記送信時の手段によってなされる変換処理とは逆の変換処理を行う手段
を備える基地局装置。
【請求項６】
前記旧システムの無線制御装置と前記新システムの無線制御装置との間の送受信にＲＦ信号を用いる
請求項５に記載の基地局装置。
【請求項７】
前記新システムの無線制御装置において、前記ＲＦ信号の前記ベースバンド信号を、前記アナログ・デジタル変換する前に、ＩＦ信号に変換する
請求項６に記載の基地局装置。
【請求項８】
前記送出手段において更に光通信手段を備え、前記合成した結果の信号を前記新システムの無線装置に送出する際には前記光通信手段を使用する
請求項５に記載の基地局装置。
【請求項９】
旧システムから新システムに移行した場合に、前記旧システムの無線制御装置と、前記新システムの無線制御装置と、前記新システムの無線装置とを備えた基地局装置の、前記新システムの無線制御装置において送信時に実行するステップとして、
前記旧システムの無線制御装置から送出された送信信号をベースバンド信号に変換するステップと、
前記ベースバンド信号をアナログ・デジタル変換するＡＤ変換ステップと、
前記アナログ・デジタル変換の結果として得られた信号を通信プロトコルに合わせた送受信フォーマットに変換するフォーマット変換ステップと、
前記送受信フォーマットに変換した信号を前記新システムの無線制御装置の送信信号と合成する合成ステップと、
前記合成した結果の信号を前記新システムの無線装置に送出する送出ステップと
を有し、
前記新システムの無線制御装置において受信時に実行するステップとして、
前記送信時の各ステップによってなされる変換処理とは逆の変換処理を行うステップ
を有する移動体通信方法。
【請求項１０】
前記旧システムの無線制御装置と前記新システムの無線制御装置との間の送受信にＲＦ信号を用いる
請求項９に記載の移動体通信方法。
【発明の詳細な説明】
【技術分野】
【０００１】
本発明は移動体通信システム、基地局装置、及び移動体通信方法に係り、特に、新しいシステムに移行する際には、既存設備の有効利用を行って新規設備投資を抑えることができる移動体通信システム、基地局装置、及び移動体通信方法に関する。
【背景技術】
【０００２】
近年、移動体通信システムの需要が益々高まり、様々な用途に盛んに使用されている。しかし、このような通信システムにおいては、新しい通信システムに移行する際に、設備の重複が生じることがあった。即ち、新しい通信システムの或る部分的な設備部分は、旧システムにも既に備わっている設備部分であって、よって、この設備部分は重複する設備部分となるにも関わらず、従前から、この重複する設備部分も新たに追加して新システムに移行する必要が有った。
【０００３】
なお、図４は、周知の移動体通信システムの全体構成を示す構成図である。同図に示すように、近年は、光通信回線網の発達で、基地局装置は無線制御部１と、無線部３とに分離して設置されることが多くなっている。
【０００４】
この分野の公知技術として、例えば特許文献１には、既存移動通信網の伝送路を共用することにより、伝送路コストの低減を図る技術が開示されている。具体的には、新システムの基地局は、既存システムの基地局と同じ機能を持つディジーチェーン制御部を有する。新システムの基地局制御装置は、新システムの移動通信交換機及び既存システムの基地局制御装置からの信号を多重化し、新システムの基地局へ送信する機能を備えている。また、新システムの基地局制御装置は、新システムの基地局からの信号を新システムの移動通信交換機及び既存システムの基地局制御装置へ分離する機能を備えている。新システムの基地局と基地局制御装置の間の伝送路は、既存システムの基地局と基地局制御装置に接続していた回線を基地局と基地局制御装置に収容替したものである、としている。
【０００５】
また、例えば特許文献２には、デバイス製造処理装置間で情報を効果的に利用することができるデバイス製造処理装置間の接続装置が開示されている。具体的には、コミュニケーションサーバは、露光装置及び各種検査装置等のデバイス製造処理装置間を接続する。このコミュニケーションサーバは、デバイス製造処理装置間で送受信されるデータのフォーマットを変換するファイルフォーマット変換部、通信メッセージを変換する通信メッセージ変換部、及び通信プロトコルを変換する通信プロトコル変換部を備えている。そして、このコミュニケーションサーバは、送信元から送信される情報を、その送信元のデバイス製造処理装置に適合させて受信し、受信した情報を送信先のデバイス製造処理装置に適合させて送信するものとしている。
【０００６】
また、例えば特許文献３には、旧システムのインフラ資産をできるだけ活用し、旧システムとの親和性が高く、旧システムのユーザの利便性を損なうことなく、新システムを利用できる移動通信システムが開示されている。具体的には、新システムに相当する第１通信方式と旧システムに相当する第２通信方式の両方で通信が可能な基地局と、上記第２通信方式で通信する基地局と、第１通信方式と第２通信方式で通信可能な移動無線端末装置を備える。そして、移動無線端末装置が第２通信方式で着信を待ち受けている場合に、待ち受けに用いている基地局から制御チャネルを通じてフラグを受信すると、基地局が、第１通信方式にも対応する基地局であることを認識し、第１通信方式に切り替えて着信を待ち受ける。
【０００７】
さらに、例えば特許文献４には、既存の無線基地局装置に対して最低限の改修を加えることによって移動通信システムＡ及び移動通信システムＢの双方においてサービスを提供することが開示されている。具体的には、共用ＡＭＰは、入力された移動通信システムＢ用送信ベースバンド信号に対する周波数変換処理を行い、第２移動通信システム用送信無線周波数信号を出力する。また、共用ＡＭＰは、入力された第１移動通信システム用送信無線周波数信号の電力レベルを調整する。そして、共用ＡＭＰは、第１移動通信システム用送信無線周波数信号と第２移動通信システム用送信無線周波数信号とを合成して送信無線周波数信号を生成する。そして、共用ＡＭＰは、送信無線周波数信号の電力レベルを所定増幅率で増幅して出力する。
【先行技術文献】
【特許文献】
【０００８】
【特許文献１】特開平１１−２３４７２４号公報
【特許文献２】公表公報ＷＯ２００７−０４９７０４号公報
【特許文献３】特開２００８−１４８１３４号公報
【特許文献４】特開２００９−３３２７１号公報
【発明の概要】
【発明が解決しようとする課題】
【０００９】
しかしながら、上記背景技術で述べた従来の移動体通信システムにあっては、新しいシステムに移行する際には、図５（ａ）〜（ｄ）に構成を示すようなシステム構成がとられてきた。
【００１０】
図５（ａ）は、単純に同じ局に新しい通信システムをオバーラップさせる場合のシステム構成である。このシステム構成では、新しいシステムについて、古い通信システムの無線制御部１１、光ケーブル１２、無線部１３、及びアンテナ１４に加えて、新しい通信システムの無線制御部１、光ケーブル２、無線部３、及びアンテナ４の二重の設備投資が必要になる。
【００１１】
図５（ｂ）は、アンテナ４とアンテナ１４のみを共用設備のアンテナ４とする構成である。同図に示すように、単純に合体させるだけでは、アンテナ４から送出される送信電力の低下になるため、新たに送信増幅器Ａ１の追加が必要となり、その結果、図５（ａ）に示す構成と殆ど設備に要する投資総額は変わらなくなってしまうことがある。
【００１２】
図５（ｃ）は、アンテナ４とアンテナ１４、無線部３と無線部１３とを共用設備とする構成である。この構成の場合は、未だ、光ケーブル２と光ケーブル１２との２重投資が必要となり、このため、ランニングコストの削減を完全に果たすことができなくなる。
【００１３】
図５（ｄ）は、新しい通信システムの無線制御部１と古い通信システムの無線制御部１１とが同じ通信プロトコルを持つことを前提に無線制御部１と無線制御部１１との間を光ケーブル１２で接続し、無線制御部１において無線部３と接続する構成である。この場合は、通信プロトコルを制限することと、光ケーブル１２を含む光・電気変換回路に余計なコストを要することになる。また、この場合、無線制御部１１が光ケーブル１２への光出力回路を備えていることが必要条件となっていた。
【００１４】
なお、前述の特許文献１に開示の技術は、既存移動通信網の伝送路を共用するものである。また、前述の特許文献２に開示の技術は、デバイス製造処理装置間で情報を効果的に利用することができるデバイス製造処理装置に関するものである。また、前述の特許文献３に開示の技術は、第１通信方式と第２通信方式で通信可能な移動無線端末装置を備えるものである。さらに、前述の特許文献４に開示の技術は、アナログの信号を合成するものであって、異なるシステムの装置それぞれに対して、増幅装置が近くに設置されていなければならないという制限が有る。
【００１５】
本発明の目的は、上述した課題を解決する移動体通信システム、基地局装置、及び移動体通信方法を提供することにある。
【課題を解決するための手段】
【００１６】
上記課題を解決するために、本発明に係る移動体通信システムは、旧システムから新システムに移行した場合の基地局装置として、旧システムの無線制御装置と、新システムの無線制御装置と、新システムの無線装置とを備え、新システムの無線制御装置における送信時の手段として、旧システムの無線制御装置から送出された送信信号をベースバンド信号に変換する手段と、ベースバンド信号をアナログ・デジタル変換するＡＤ変換手段と、アナログ・デジタル変換の結果として得られた信号を通信プロトコルに合わせた送受信フォーマットに変換するフォーマット変換手段と、送受信フォーマットに変換した信号を新システムの無線制御装置の送信信号と合成する合成手段と、合成した結果の信号を新システムの無線装置に送出する送出手段と、を備え、新システムの無線制御装置における受信時の手段として、送信時の手段によってなされる変換処理とは逆の変換処理を行う手段、を備えたことを特徴とする。
【００１７】
また、本発明に係る基地局は、旧システムから新システムに移行した場合の装置として、旧システムの無線制御装置と、新システムの無線制御装置と、新システムの無線装置とを備え、新システムの無線制御装置における送信時の手段として、旧システムの無線制御装置から送出された送信信号をベースバンド信号に変換する手段と、ベースバンド信号をアナログ・デジタル変換するＡＤ変換手段と、アナログ・デジタル変換の結果として得られた信号を通信プロトコルに合わせた送受信フォーマットに変換するフォーマット変換手段と、送受信フォーマットに変換した信号を新システムの無線制御装置の送信信号と合成する合成手段と、合成した結果の信号を新システムの無線装置に送出する送出手段と、を備え、新システムの無線制御装置における受信時の手段として、送信時の手段によってなされる変換処理とは逆の変換処理を行う手段、を備えたことを特徴とする。
【００１８】
さらに、本発明に係る移動体通信方法は、旧システムから新システムに移行した場合に、旧システムの無線制御装置と、新システムの無線制御装置と、新システムの無線装置とを備えた基地局装置の、新システムの無線制御装置において送信時に実行するステップとして、旧システムの無線制御装置から送出された送信信号をベースバンド信号に変換するステップと、ベースバンド信号をアナログ・デジタル変換するＡＤ変換ステップと、アナログ・デジタル変換の結果として得られた信号を通信プロトコルに合わせた送受信フォーマットに変換するフォーマット変換ステップと、送受信フォーマットに変換した信号を新システムの無線制御装置の送信信号と合成する合成ステップと、合成した結果の信号を新システムの無線装置に送出する送出ステップと、を有し、新システムの無線制御装置において受信時に実行するステップとして、各ステップによってなされる変換処理とは逆の変換処理を行うステップ、を有することを特徴とする。
【発明の効果】
【００１９】
以上説明したように、本発明によれば、新システムに移行するに際して、光・電気変換回路を使用せず、コストの安い回路の追加だけで、利用可能な既存設備を継続して使用することが可能となり、通信システム移行の際の新たな追加投資を抑制することができる。
【図面の簡単な説明】
【００２０】
【図１】本発明の実施形態に係る移動体通信システムの全体構成を示す構成図である。
【図２】本発明の実施形態に係る移動体通信システムにおける無線制御部１の１例としての変換回路の構成を示す構成図である。
【図３】本発明の他の実施形態に係る移動体通信システムの全体構成を示す構成図である。
【図４】周知の移動体通信システムの全体構成を示す構成図である。
【図５】旧システムから移行した周知の移動体通信システムの全体構成を示す構成図である。
【発明を実施するための形態】
【００２１】
以下、本発明の移動体通信システム及び基地局装置並びに移動体通信方法の実施形態について、図面を参照して詳細に説明する。図１は、本発明の実施形態に係る移動体通信システムの全体構成を示す構成図である。同図において、図４（公知例）と重複する部分には同一の符号を附すことにする。同図において、本実施形態の移動体通信システムは、基地局をなす、無線制御部１、光ケーブル２、無線部３、アンテナ装置であるアンテナ４、及び共用化できない旧システムの設備である無線制御部１１を備える。
【００２２】
以下、図１に示す本実施形態の移動体通信システムの動作について説明する。本実施形態の移動体通信システムでは、図１に示すように無線制御部１と無線制御部１１との間をＲＦ信号の送受信を行う。送信時、無線制御部１１から送出された無線制御部１１の送信信号を、無線制御部１においてベースバンド信号に変換する。また、無線制御部１において、上記ベースバンド信号をアナログ・デジタル変換し、さらに、通信プロトコルに合わせた送受信フォーマットに変換すると共に、無線制御部１の送信信号と合成して無線部３に送出する。なお、受信時、受信信号に対しては、上記変換処理とは逆の変換処理を行うものとする。
【００２３】
上記の変換処理は、図５（ｄ）で示す構成の公知システムに比べると、光・電気変換回路を使用しないので、安価な回路構成で実現することができる。また、無線制御部１１に光出力の回路が装備されている必要がなく、無線制御部１１の通信プロトコルも、無線制御部１の通信プロトコルと同一である必要が無い。このため、新システムにおいても未だ接続される必要が有る旧システムの装置（ここでは無線制御部１１）としては、どのようなタイプの装置であっても良い。
【００２４】
図２は、本発明の実施形態に係る移動体通信システムにおける無線制御部１の１例としての変換回路の構成を示す構成図である。無線制御部１は、同軸コネクタ２０、サーキュレータ部２１、周波数変換部２２、アナログ・デジタル変換部２３、キャリア分離部２４、及びフォーマット部２５を備える。
【００２５】
同軸コネクタ２０は、無線制御部１１からのＲＦ信号を送受信する。サーキュレータ部２１は、送受信した信号の方向性を決める。周波数変換部２２は、送信ＲＦ信号をＩＦ信号に変換する。アナログ・デジタル変換部２３は、ＩＦ信号をデジタルのベースバンド信号に変換する。キャリア分離部２４は、ベースバンド信号に変換された信号をキャリア毎に分離する。フォーマット部２５は、キャリア分離部２４で分離された信号を通信プロトコルのフォーマットに変換する。
【００２６】
また、無線制御部１は、合成・分離部２６、逆フォーマット部３１、キャリア合成部３２、デジタル・アナログ変換部３３、及び周波数変換部３４を備える。
【００２７】
合成・分離部２６は、通信プロトコルのフォーマットに変換された信号と新システムの他の回路７の信号とを合成し、光コネクタ８に出力すると共に、無線部３からの受信した信号を光コネクタ８経由で受信して無線制御部１と逆フォーマット部３１に出力する。逆フォーマット部３１は、合成・分離部２６から出力された信号をキャリア毎のベースバンド信号に変換する。キャリア合成部３２は、キャリア毎のベースバンド信号を合成する。デジタル・アナログ変換部３３は、ベースバンド信号をアナログのＩＦ信号に変換する。周波数変換部３４は、ＩＦ信号を受信ＲＦ信号に変換する。
【００２８】
以下、図１，２を参照して、本発明の実施形態に係る移動体通信システムの動作について説明する。まず送信の場合について説明する。無線制御部１は無線制御部１１からのＲＦ信号を同軸ケーブル６経由で受信する。入力された信号はサーキュレータ部２１を経由して周波数変換部２２に入力する。その後、周波数変換部２２では、アナログ・デジタル変換部２３に入力できるＩＦ周波数に変換する。その後、アナログ・デジタル変換部２３では、ＩＦ周波数をデジタルのベースバンド信号に変換する。キャリア分離部２４では、予め無線制御部１に設定している無線制御部１１からの周波数情報に基づき、キャリア毎にベースバンド信号を分離する。フォーマット部２５では、上記分離されたベースバンド信号を通信プロトコルに変換する。さらに、この変換後の信号と、新システムの信号とを合成・分離部２６で合成し、光コネクタ８経由で無線部３に出力する。
【００２９】
次に、受信の場合について説明する。光コネクタ８経由で無線部３からの信号を受信し、合成・分離部２６において、旧システムの信号と新システムの信号とを分離する。逆フォーマット部３１において、旧システムの信号をベースバンド信号に変換する。キャリア合成部３２において、上記ベースバンド信号を合成し、デジタル・アナログ変換部３３により、アナログのＩＦ信号に変換する。さらに、周波数変換部３４により、無線制御部１１が受信できるＲＦ信号に変換し、同軸コネクタ２０経由で無線制御部１１に対して該ＲＦ信号を送出する。
【００３０】
本実施形態に係る移動体通信システムによれば、新システムに移行するに際し、光・電気変換回路を使用しないで、コストの安い回路の追加だけで、利用可能な既存設備を継続して使用するので、通信システムに移行する際の新たな追加投資を抑制することができる。
【００３１】
図３は、本発明の他の実施形態に係る移動体通信システムの全体構成を示す構成図である。同図に示す移動体通信システムは、無線制御部１１に外部インタフェース部が有れば、図３に示す無線制御部１の制御信号抽出部３５において、無線部３との間の制御信号を抽出し、制御・監視をするものである。
【００３２】
上記の実施形態の一部、又は全部は、以下の付記のようにも記載され得るが、以下には限られない。
【００３３】
（付記１）旧システムから新システムに移行した場合の基地局装置として、前記旧システムの無線制御装置と、前記新システムの無線制御装置と、前記新システムの無線装置とを備え、前記新システムの無線制御装置における送信時の手段として、前記旧システムの無線制御装置から送出された送信信号をベースバンド信号に変換する手段と、前記ベースバンド信号をアナログ・デジタル変換するＡＤ変換手段と、前記アナログ・デジタル変換の結果として得られた信号を通信プロトコルに合わせた送受信フォーマットに変換するフォーマット変換手段と、前記送受信フォーマットに変換した信号を前記新システムの無線制御装置の送信信号と合成する合成手段と、前記合成した結果の信号を前記新システムの無線装置に送出する送出手段とを備え、前記新システムの無線制御装置における受信時の手段として、前記送信時の手段によってなされる変換処理とは逆の変換処理を行う手段を備える移動体通信システム。
【００３４】
（付記２）前記旧システムの無線制御装置と前記新システムの無線制御装置との間の送受信にＲＦ信号を用いる付記１に記載の移動体通信システム。
【００３５】
（付記３）前記新システムの無線制御装置において、前記ＲＦ信号の前記ベースバンド信号を、前記アナログ・デジタル変換する前に、ＩＦ信号に変換する付記２に記載の移動体通信システム。
【００３６】
（付記４）前記送出手段において更に光通信手段を備え、前記合成した結果の信号を前記新システムの無線装置に送出する際には前記光通信手段を使用する付記１に記載の移動体通信システム。
【００３７】
（付記５）旧システムから新システムに移行した場合の装置として、前記旧システムの無線制御装置と、前記新システムの無線制御装置と、前記新システムの無線装置とを備え、前記新システムの無線制御装置における送信時の手段として、前記旧システムの無線制御装置から送出された送信信号をベースバンド信号に変換する手段と、前記ベースバンド信号をアナログ・デジタル変換するＡＤ変換手段と、前記アナログ・デジタル変換の結果として得られた信号を通信プロトコルに合わせた送受信フォーマットに変換するフォーマット変換手段と、前記送受信フォーマットに変換した信号を前記新システムの無線制御装置の送信信号と合成する合成手段と、前記合成した結果の信号を前記新システムの無線装置に送出する送出手段とを備え、前記新システムの無線制御装置における受信時の手段として、前記送信時の手段によってなされる変換処理とは逆の変換処理を行う手段を備える基地局装置。
【００３８】
（付記６）前記旧システムの無線制御装置と前記新システムの無線制御装置との間の送受信にＲＦ信号を用いる付記５に記載の基地局装置。
【００３９】
（付記７）前記新システムの無線制御装置において、前記ＲＦ信号の前記ベースバンド信号を、前記アナログ・デジタル変換する前に、ＩＦ信号に変換する付記６に記載の基地局装置。
【００４０】
（付記８）前記送出手段において更に光通信手段を備え、前記合成した結果の信号を前記新システムの無線装置に送出する際には前記光通信手段を使用する付記５に記載の基地局装置。
【００４１】
（付記９）旧システムから新システムに移行した場合に、前記旧システムの無線制御装置と、前記新システムの無線制御装置と、前記新システムの無線装置とを備えた基地局装置の、前記新システムの無線制御装置において送信時に実行するステップとして、前記旧システムの無線制御装置から送出された送信信号をベースバンド信号に変換するステップと、前記ベースバンド信号をアナログ・デジタル変換するＡＤ変換ステップと、前記アナログ・デジタル変換の結果として得られた信号を通信プロトコルに合わせた送受信フォーマットに変換するフォーマット変換ステップと、前記送受信フォーマットに変換した信号を前記新システムの無線制御装置の送信信号と合成する合成ステップと、前記合成した結果の信号を前記新システムの無線装置に送出する送出ステップとを有し、前記新システムの無線制御装置において受信時に実行するステップとして、前記送信時の各ステップによってなされる変換処理とは逆の変換処理を行うステップを有する移動体通信方法。
【００４２】
（付記１０）前記旧システムの無線制御装置と前記新システムの無線制御装置との間の送受信にＲＦ信号を用いる付記９に記載の移動体通信方法。
【符号の説明】
【００４３】
１  無線制御部
２  光ケーブル
３  無線部
４  アンテナ
５  携帯端末装置
６  同軸ケーブル
７  新システムの他の回路
８  光コネクタ
１１  無線制御部
１２  光ケーブル
１３  無線部
１４  アンテナ
２０  同軸コネクタ
２１  サーキュレータ部
２２  周波数変換部
２３  アナログ・デジタル変換部
２４  キャリア分離部
２５  フォーマット部
２６  合成・分離部
３１  逆フォーマット部
３２  キャリア合成部
３３  デジタル・アナログ変換部
３４  周波数変換部
３５  制御信号抽出部
【図１】
2013187598.tif 000003
【図２】
2013187598.tif 000004
【図３】
2013187598.tif 000005
【図４】
2013187598.tif 000006
【図５】
2013187598.tif 000007